(57)【要約】【課題】内装施工後において内装シート周縁部の剥離が少なく、且つ寒暖差による内装シートの伸縮の影響を少なくするジョイナーを提供する。【解決手段】建築物内部に設けられた所定の表面に内装を施す内装シートの周縁部分を着脱自在に囲繞するジョイナーにおいて、一の内装シート１０−１の周縁部分を囲繞する断面がＣ型形状１であるか、前記一の内装シートに隣接する他の内装シート１０−２の周縁部分と前記一の内装シートの周縁部分とを接合する断面がＨ型形状２を有する。ジョイナーの建築物内部に設けられた所定の表面の領域に当接する面（裏面）にはマグネット層を設けてもよい。【選択図】  図２
2019105071.tif 000002
【特許請求の範囲】
【請求項１】
建築物内部に設けられた所定の表面に内装を施す内装シートの周縁部分を着脱自在に囲繞するジョイナーにおいて、一の内装シートの周縁部分を囲繞する断面がＣ型形状であるか、或いは、前記一の内装シートに隣接する他の内装シートの周縁部分と前記一の内装シートの周縁部分とを接合する断面がＨ型形状を有することを特徴とする内装シート用ジョイナー。
【請求項２】
前記内装シートは、合成樹脂シートと前記合成樹脂シートの裏面に固定されたマグネットシートとを有することを特徴とする請求項１に記載の内装シート用ジョイナー。
【請求項３】
前記ジョイナーの前記建築物内部に設けられた前記所定の表面の領域に当接する面（裏面）にはマグネット層が設けられていることを特徴とする請求項１又は請求項２に記載の内装シート用ジョイナー。
【発明の詳細な説明】
【技術分野】
【０００１】
本発明は、ジョイナーに関し、例えば、建築物内部の内装施工方法等に用いる内装シート（内装フィルムともいう）に使用するジョイナーに関するものである。
【背景技術】
【０００２】
従来、公共建築物、住宅、幼稚園、保育所等の建築物は、必要に応じて内部のリホームを行い、建築物の寿命を長くしている。リホームによって、建築物内部の壁面や床面などの表面を新しい内装材に張り替え、以前と異なる環境にすることが出来る。さらに、近年では、エレベータのような磁性材料から構成された壁面を有する建築物内部の構造物の表面にマグネットシートを取付けた表面部材を磁力により貼り付けて壁面を構成する施工方法が知られている。
出願人は、先に、短時間に簡単に施工が出来るマグネットシートを用いた内装施工方法に係る発明について出願した（特許文献１参照）。これは、合成樹脂シートとマグネットシートとから構成された内装シート及び磁性材料から構成された下地シートを用意し、建築物内部の床面又は壁面の所定の領域の内装を施す領域を定め、これら内装を施す領域の表面上に形成された下地シート上に内装シートを磁力により取付ける方法である。
【先行技術文献】
【特許文献】
【０００３】
【特許文献１】特開２０１４−２２７７８３号公報
【０００４】
【特許文献２】特開２０１５−７４８９３号公報
【発明の概要】
【発明が解決しようとする課題】
【０００５】
従来のリホームでは、例えば、壁面を改修する場合、まず、古い壁紙を剥がして取り去り、下地を露出させる。そして、その上に壁面の表面を飾る内装材を粘着剤により貼り付けるという施工方法を通常用いている。しかしながら、このような従来の施工方法は、粘着剤を用いるので、乾燥に時間が掛かり、施工時間が長くなるという問題があった。また、室内でも特殊な部分、トイレや台所などは床面の汚れ易く、早めの改修が必要である。出願人の先の特許出願は、このような事情によりなされたもので、短時間に簡単に施工が出来、適用範囲が従来よりも広くなるマグネット式の内装施工方法を提供するものである。
【０００６】
ところで、近年、内装施行方法において防炎性を高めることによって建築物の耐火性を高める開発が進んでいる。例えば、出願人が開発した内装施工方法でも防炎性内装シートを用いている。ここで用いる防炎性内装シートは、合成樹脂シートと、前記合成樹脂シートの裏面に形成されたマグネットシートと、前記合成樹脂シート及び前記マグネットシートの間に介在して形成された防炎剤層とを備えている。そして、その内装施工方法は、防炎性内装シート及び磁性材料から構成された下地シートを用意し、建築物内部の床面の所定の領域を内装を施す領域と定め、これら内装を施す領域の表面上に形成された下地シート上に防炎性内装シートを磁力により取付けることを特徴としている（特許文献２参照）。
【０００７】
建築物内部に内装された内装シートは、月日が経過するにつれて、悪戯などによりその周縁部から剥離し易くなる。また、建造物内部の寒暖の差により内装シートが伸び縮みをして施工部分に歪みが生じ剥がれることがある。
本発明は、このような事情によりなされたものであって、内装シートの施工後において内装シート周縁部の剥離が少なく、また、寒暖差による伸縮の影響を少なくすることを特徴とするジョイナーを提供する。
【課題を解決するための手段】
【０００８】
本発明の内装シート用ジョイナーの一態様は、建築物内部に設けられた所定の表面に内装を施す内装シートの周縁部分を着脱自在に囲繞するジョイナーであって、一の内装シートの周縁部分を囲繞する断面がＣ型形状であるか、或いは、前記一の内装シートに隣接する他の内装シートの周縁部分と前記一の内装シートの周縁部分とを接合する断面がＨ型形状を有することを特徴とする内装シート用ジョイナーを提供することを特徴とする。前記内装シートは、合成樹脂シートと前記合成樹脂シートの裏面に固定されたマグネットシートとを有することを特徴とする。また、前記内装シートは、合成樹脂シートと、前記合成樹脂シートの裏面に形成されたマグネットシートと、前記合成樹脂シート及び前記マグネットシートの間に介在して形成された防炎剤層とを備えていることを特徴とする。前記ジョイナーの前記建築物内部に設けられた前記所定の表面の領域に当接する面（裏面）にはマグネット層が設けられていることを特徴とする。
【発明の効果】
【０００９】
本発明において、内装シートの施工後に内装シート周縁部の剥離が少なく、また、ジョイナーの存在によって、内装シートがその寒暖差による伸縮の影響を少なくすることができる。
【図面の簡単な説明】
【００１０】
【図１】実施例１のジョイナーの斜視図。
【図２】実施例１のジョイナーを装着した内装シートの平面図。
【図３】実施例１のマグネット層を取付けたジョイナーの断面図。
【図４】実施例１の内装シートの斜視図。
【図５】実施例１のマグネット式内装施工方法に用いる下地シートの斜視図。
【図６】実施例１のマグネット式内装施工方法が施されるトイレ内部の要部斜視図。
【図７】実施例１の防炎剤層を形成した内装シートの斜視図。
【図８】実施例２の内装シートの表面に貼り付けた防犯ミラーの斜視図。
【図９】図８の防犯ミラーの一例であるアルミシートの斜視図。
【図１０】図８の防犯ミラーを取付けたエレベータ内部の斜視図及び正面図。
【図１１】図８の防犯ミラーを取付けたエレベータの透過斜視図。
【図１２】実施例３の内装シートを腰板に適用した工程を説明する建造物内部の壁面の正面図。
【図１３】実施例４の内装シートを腰板に適用した工程を説明する建造物内部の壁面の正面図。
【発明を実施するための形態】
【００１１】
以下、実施例を参照して発明の実施の形態を説明する。
【実施例１】
【００１２】
まず、図１乃至図７を参照して実施例１を説明する。
図１に示すように、この実施例のジョイナーは、建築物内部に設けられた所定の表面に内装を施す内装シートの周縁部分を着脱自在に囲繞するものであって、一の内装シートの周縁部分を囲繞する断面がＣ型形状のＣ型ジョイナー１（図１（ａ）参照）、及び前記一の内装シートに隣接する他の内装シートの周縁部分と前記一の内装シートの周縁部分とを接合する断面がＨ型形状のＨ型ジョイナー２（図１（ｂ）参照）を有するものである。
このようなジョイナーは、建築物の内装施工に用いる内装シートの周縁部分に装着され、内装シートと共に内装施工に用いられる。
【００１３】
内装シート１０は、図４に示されているように、合成樹脂シート１１と合成樹脂シート１１の裏面に固定されたマグネットシート１２とを有している。また、図７に示すように、内装シート１０は、合成樹脂シート１１及びマグネットシート１２の間に介在して形成された防炎剤層１３を備えているようにしても良い。
このようなジョイナーが装着された内装シート１０−１、１０−２には、例えば、三辺にジョイナー１が装着され、隣接する辺にはジョイナー２が装着されて両者が結合されている（図２参照）。ジョイナー１，２の内装シートが接触する面にはマグネット層３を形成しても良い（図３参照）。また、マグネット層３に代えて両面テープを用いることも可能である。
図７に示す内装シートは、合成樹脂シート１１と、合成樹脂シート１１の裏面に形成されたマグネットシート１２と、両者の間に介在して形成された防炎剤層１３から構成されている。防炎剤層１３は、樹脂シートに防炎剤を混入させて形成するか、合成樹脂シートとマグネットシートとを接着する接着剤に混ぜて接着剤層を形成して構成されている。合成樹脂シート１１の材料としては、例えば、塩化ビニールが用いられる。防炎性シートは、防炎化されたシートをいう。防炎化とは、火種を取り去れば炎は拡大せずに消えてしまうという性質を材料に持たせることを意味する。
防炎剤層を構成する防炎剤は、含燐防炎剤、含ハロゲン防炎剤、含硫黄防炎剤、無機防炎剤などがある。含燐防炎剤には、燐酸メラミンや燐酸チオ尿素樹脂などの水溶性アミノプラスト燐酸塩、ホスホニウム塩やアクリル燐酸塩などの含燐有機物などが知られている。含ハロゲン防炎剤には、塩素化パラフィンやヘキサブロモシクロドデカンなどの含ハロゲン有機物、ポリ塩化ビニールや塩化ビニリデンなどの含ハロゲン高分子などが知られている。含硫黄防炎剤には、ポリ硫酸カルバメートやスルファミン酸アンモニウムやフェノールスルホン酸などの含硫黄化合物、チオ尿素樹脂や環状チオ尿素メチロール化物などのチオ尿素系などが知られている。無機防炎剤には、ポリ燐酸カルバメートや炭酸アンモニウムや硫酸アンモニウムなどのアンモニウム塩、硼酸や燐酸などの無機酸、硼砂や珪酸ナトリウムなどのアルカリ金属塩、三酸化アンチモンや四塩化錫や三塩化ビスマスなどの金属化合物などが知られている。この防炎性シートは防炎性に優れており建築物内部に内装を施す際に使用される内装シートとして好適である。
【００１４】
以下、図５及び図６を参照して、必要に応じて適宜周縁部にジョイナー１，２を装着した内装シートをマグネット式内装施工方法に適用した例を説明する。図５に記載された下地シート２０は、例えば、ステンレスからなり、裏面にアクリル樹脂などの粘着剤２１が塗布されている。粘着剤２１は、通常、剥離紙２２により保護されている。この実施例で説明するマグネット式内装施工方法は、建築物におけるトイレの床面に施される。
まず、ジョイナーを装着した内装シート及び下地シートを用意する。図６（ａ）に示された便器の取付けられた床面を内装を施す領域とする。次に、図６（ｂ）に示すように、この領域上に下地シートを貼り付ける。この図では便器の記載は省略する。その後、内装シートを下地の上に取付ける（図６（ｃ））。
【００１５】
以上のように、この実施例ではマグネットシートから構成された下地シートを用いて内装シートを床面に固定しているので、内装施工を短時間で簡単に行うことが出来る。また、トイレ内の尿臭、汚れ、除菌に対しても、内装シートは容易に交換出来るので迅速に元に戻すことが出来る。また、内装シートの施工後に内装シート周縁部の剥離が少ない。内装シートは、建造物内部の寒暖の差により伸び縮みをして施工部分に歪みが生じる可能性が有るが、ジョイナーの存在によって、内装シートの施工後においても内装シートがその寒暖差による伸縮の影響を少なくすることができる。
また、トイレ内の床面に限らず、側壁に内装シートを施すことも有効である。また、この方法を用いるに適した場所には台所や浴室などがある。さらに、図７に示された内装シート１０を用いると、防炎性の高い内装が得られる。
【実施例２】
【００１６】
次に、図８乃至図１１を参照して、実施例１に示されたジョイナーを装着した内装シートを利用して行われる他の内装施工方法を説明する。この方法では、図８に示すように、内装シート１０を構成する合成樹脂シート１１に防犯ミラー３０を貼り付ける。内装シート１０は、マグネットシート１２、防炎剤層１３、合成樹脂フィルム１１の三層からなる。防犯ミラー３０には、例えば、０．３ｍｍ厚程のアルミ板３２にアルミ箔３１を貼り付けたアルミシートを用いる（図９参照）。
この内装シートを取付けた防犯ミラーは、例えば、エレベータ内部の開閉扉に貼り付ける（図１０及び図１１参照）。開閉扉の対抗する壁面上部にはレンズが防犯ミラー３０に向いている監視カメラを設置する。防犯ミラーの映像を監視することによりカメラの視野を広げることが出来る。前述のアルミシートは、薄いので、エレベータの開閉扉に取付けることが可能であるが、エレベータ内の他の壁面に必要に応じて取付けることもできる。
【００１７】
このように、この実施例では、この内装シートを用いることにより容易に防犯システムを構築することが出来る。また、内装シートの施工後に内装シート周縁部の剥離が少ない。内装シートは、建造物内部の寒暖の差により伸び縮みをして施工部分に歪みが生じる可能性が有るが、実施例で用いたジョイナーの存在によって、内装シートの施工後においても内装シートの寒暖差による伸縮の影響を小さくすることができる。さらに、内装シートが防炎層を有していれば防炎特性の高い内装が得られる。
【実施例３】
【００１８】
図１２を参照して、実施例１に示されたジョイナーを装着した内装シートを利用して行われる他の内装施工方法を説明する。
図１２は、建築物内部の壁面を示している。まず、内装シート及びステンレスなどの下地シートを用意する。つぎに、建築物内部の壁面に内装を施す領域を設定し、この領域の古い壁紙などを取り除いて表面を清浄にする。そして、この領域全面に下地シートを敷き詰める（図１２（ａ））。下地シートは、領域全面に1枚のシートを敷いても良いし、小さいシートを継ぎ足して敷き詰めても良い。下地シートは、図５に示す剥離紙２２を剥ぎながら粘着剤２１を領域表面に貼り付けて固定される。その後、下地シート上に内装シートを磁力により貼り付けて内装を完成させる（図１２（ｂ））。
【００１９】
以上、この実施例ではマグネットシートから構成された下地シートを用いて内装シートを壁面に固定しているので、内装施工を短時間で簡単に行うことが出来る。内装シートの施工後に内装シート周縁部の剥離が少なく、また、ジョイナーの存在によって、内装シートがその寒暖差による伸縮の影響を少なくすることができる。また、磁性材料からなる下地シートを内装シートと併せて用いるので、適用する範囲が広くなる。
【実施例４】
【００２０】
次に、図１３を参照して、実施例１のジョイナーを装着した内装シートを利用して行われる他の内装施工方法を説明する。
図１３は、建築物内部の壁面を示している。まず、内装シート及びステンレスなどの下地シートを用意する。つぎに、建築物内部の壁面の内装を施す領域を設定し、この領域の古い壁紙などを取り除いて表面を清浄にする。そして、この領域全面に下地シートを敷き詰める（図１３（ａ））。下地シートは、領域全面に1枚のシートを敷く。下地シートは、図５に示す剥離紙２２を剥ぎながら粘着剤２１を領域表面に貼り付けて固定される。次に、内装シートと同じ材料からなる目地テープを下地シート上に間隔を置いて貼り付ける（図１３（ｂ））。次に、内装シートを目地テープ間に配置し、これら内装シートの両端は目地テープの両端を部分的に覆い、目地テープの中央部分が内装シートから露出するように配置する（図１３（ｃ））。
【００２１】
以上、この実施例ではマグネットシートから構成された下地シートを用いて内装フィルムを壁面に固定しているので、内装施工を短時間で簡単に行うことが出来る。内装シートの施工後に内装シート周縁部の剥離が少なく、また、ジョイナーの存在によって、内装シートがその寒暖差による伸縮の影響を低下させることができる。また、磁性材料からなる下地シートを内装シートと併せて用いるので、建造物内部において、適用する範囲が広くなる。また、目地テープを用いた内装は、美観を伴うものである。また、内装シートは目地テープ部分から剥がすことにより取外しが容易になる。
【００２２】
以上、本発明の内装シート及び下地シートを用いたマグネット式内装施工方法によれば、短時間に簡単に施工が出来る。内装フィルムは、建造物内部の寒暖の差により伸び縮みをして施工部分に歪みが生じる可能性が有るが、ジョイナーの存在によって、内装シートの施工後においても内装シートがその寒暖差による伸縮の影響を低下させることができる。
また、下地シートを用いることによって、本発明を適用する範囲が広くなる、医療介護施設内部の側壁に適用すれば、車椅子や医療用ベッドが接触により損傷を蒙っても速やかに元に復することが出来る、キッチンの油汚れ、除菌に対して容易に洗浄して元に戻すことが出来る、喫煙コーナーに消臭機能を付した内装シートを用いることが出来る、保育所、幼稚園に適用すれば、内装シートを取り外すことにより、下地シートを臨時のキッズスペースとして利用出来るので、学びながら磁石遊びなどを行うことができる、本発明を広いスペースのある建築物に適用すれば、短期イベント会場を短時間で提供することが出来る等の作用効果が期待される。
【符号の説明】
【００２３】
１、２・・・ジョイナー
３・・・マグネット層
１０・・・内装シート
１１・・・合成樹脂シート
１２・・・マグネットシート
１３・・・防炎剤層
２０・・・磁性材料から構成された下地シート
２１・・・粘着剤
２２・・・剥離紙
３０・・・防犯ミラー
３１・・・アルミ箔
３２・・・アルミ板
【図１】
2019105071.tif 000003
【図２】
2019105071.tif 000004
【図３】
2019105071.tif 000005
【図４】
2019105071.tif 000006
【図５】
2019105071.tif 000007
【図６】
2019105071.tif 000008
【図７】
2019105071.tif 000009
【図８】
2019105071.tif 000010
【図９】
2019105071.tif 000011
【図１０】
2019105071.tif 000012
【図１１】
2019105071.tif 000013
【図１２】
2019105071.tif 000014
【図１３】
2019105071.tif 000015